Podtech/llm-jp-corpus-v4-ja_patent huggingface dataset:
(57)【要約】      （修正有）【課題】災害時に発生する人体に有害なガス、煙から１．行動の自由の確保  ２．視界の確保  ３．呼吸の確保をして、避難を容易にする携帯性をもった避難器具を提供する。【解決手段】視界を確保した透過性をもった難燃性素材１で頭部を覆い、難燃性、耐炎性の伸縮性ゴム素材３で頚部を固定して行動の自由を確保し、ガスおよび煙を気相吸着する細孔構造物質を内包する素材で構成されたマスク様態２で口腔部を覆うことで呼吸を容易にする。【選択図】図１
2006320671.tif 000002
【特許請求の範囲】
【請求項１】
視界を確保する透過性を持った素材をもって、頭部を覆い頚部を固定する部材を有することと、人体に有害な気体より呼吸器官を保護する機能を独立、結合させることで目的に適した選択を可能とする機能を特徴とするスモークシールド
【請求項２】
視界を確保する透過性をもった素材は難燃性を持つ事を特徴とする請求項１のスモークシールド
【請求項３】
頚部を固定する部材は難燃性、耐炎性の伸縮性ゴム素材である事を特徴とする請求項１のスモークシールド
【請求項４】
呼吸器官を保護する形態はマスク様態を特徴とする請求項１のスモークシールド
【請求項５】
呼吸器官を保護する素材は呼気成分、吸気成分をともに気相吸着する細孔構造を持つ物質で構成されている事を特徴とする請求項１のスモークシールド
【発明の詳細な説明】
【技術分野】本発明は、災害時の避難用具に関する発明である。
【発明の開示】
【発明が解決しようとする課題】本発明の目的とする事象は、人体に有害なガス、煙、が発生している。この事象に対し１．行動の自由の確保  ２．視界の確保  ３．呼吸の確保を同時に満たす手段を取るべきところ、従来の発明では目的を満たす手段が無かった。
【課題が解決しようとする手段】
前記に対し、固定部材、視界を確保する透過性を持った素材、難燃性、耐炎性の伸縮性ゴム素材、ガスおよび煙を気相吸着する細孔構造物質、口腔部を覆うマスク様態部材、それぞれを組み合わせることで、携帯性に優れ、安全な避難行動を可能にする。
【発明の効果】
前記により、視界を確保する透過性を持った素材で頭部全体を覆い、且つまた頚部難燃性、耐炎性の伸縮性ゴム素材で固定することから熱対流および動作によって発生する気流により頭部より外れてしまうことを防ぐとともに視界を確保しつつ、気相吸着する細孔構造物質を用いたマスク形態により呼吸器に有害な煙・ガスを吸着し呼気を確保し、目的とする災害からより安全に避難することができる。
【図面の簡単な説明】
【図１】本発明の側面図
【図２】図１を構成する視界を確保する素材の形態であり、本図は伸張状態であり使用時は収縮し頚部を固定する
【図３】図１を構成する呼吸器官を保護する素材の形態であり、中央部の呼吸器に当る部分は気相吸着する細孔構造物質を内包する
【符号の説明】
１．視界を確保する透明な難燃性の素材
２．呼吸器官を保護するマスク様態
３．頚部を固定する難燃性、耐炎性のゴム素材
４．視界を確保する透明な難燃性の素材の形態
５．頚部を固定する難燃性、耐炎性のゴム素材の接合部位置
６．呼吸器官を保護するマスク様態
７．細孔構造物質を内包する部分
【図１】
2006320671.tif 000003
【図２】
2006320671.tif 000004
【図３】
2006320671.tif 000005
(57)【要約】【課題】従来のベッドパットでは汚れ防止としての活用が主流であり、付加価値としての利便性等がないと言う課題があった。ベッドパットに従来の機能及び利便性・安全性を追求し携帯電話やリモコン機器品（エアコン・テレビ・ビデオ・ステレオ）等の小物収納ポケットを取り付ける仕様とした。【解決手段】ベッドパットに小物収納用ポケットを同一繊維（キルト綿等のキルティング製品）で作ることで携帯電話・リモコン機器品（エアコン・テレビ・ビデオ・ステレオ）等の小物収納が容易にでき部屋の整理となる。又、寝たままの状態での操作することもできる為、便利に使用可能。ベッドパット小物収納ポケットに携帯電話・リモコン機器品を入れる事で就寝時の暗い部屋での落下・破損防止にもなる。【選択図】図１
2006320670.tif 000002
【特許請求の範囲】
【請求項１】
ベッドパットの両側面に小物収納ポケットを同一繊維で設け、携帯電話・リモコン機器（テレビ・ビデオ・ステレオ・エアコン等）の小物収納を可能とする。
【請求項２】
ベッドパット側面小物収納ポケットに携帯電話を収納した場合は、目覚まし時計代わりとしての活用と置き場所の小スペース化を図れる。
【請求項３】
ベッドパット側面小物収納ポケットに携帯電話・リモコン機器等を収納することで従来、これらを床下やベッドの上に置いた状態と違い、起き上がった際の踏みつけ破損防止やベッドの上からの落下防止も図れる。
【請求項４】
ベッドパット側面小物収納ポケットにリモコン機器を収納することで寝たままの状態でリモコン機器を取り出し、暗い部屋でも変更・操作が容易となる。
【請求項５】
身体障害者等の介護用ベッドとしてもベットパット側面に小物収納ポケットを使用することで、寝たままの状態でリモコン機器の設置場所が明確になり、操作が容易になる。
【発明の詳細な説明】
【技術分野】
【０００１】本発明は一般家庭用及び介護用に使用するベッドパットに小物収納ポケットを設け、便利性、安全性を追求した物とする。
【背景技術】
【０００２】従来の一般家庭用・介護用ベッドパットはキルティング製品を使用したベッドの汚れ防止と快適性を目的で開発・改良されてきたが、本発明は従来機能のみではなく、使用する際の便利性・安全性を追及した物として発明した背景がある。
【特許文献１】
【特許文献２】
【非特許文献１】
【非特許文献２】
【発明の開示】
【発明が解決しようとする課題】
【０００３】上述したように従来のベッドパットはベッドへの汚れの防止を目的で開発されてきたが、近年、各家庭では家電製品が多く普及し、専用の遠隔操作するリモコン機器（テレビ・ビデオ・ステレオ・エアコン等）も多種に渡り増えて来た傾向にある。【０００４】携帯電話も一人に一台以上持つ人も増え、リモコン機器も含め部屋のスペースで置き場所が乱雑になる傾向にある。【０００５】又、夜間就寝時の暗い部屋においてはベッドから起き上がると床下に置いたり、ベッドの上に置いたりしている携帯電話やリモコン機器等を落下させたり、足で踏んでしまい破損してしまうこともある。【０００６】同様に夜間就寝時の暗い部屋でエアコンの設定温度変更やテレビ・ビデオ・ステレオを操作したい時も床下に置いたり、ベッドの上に置いたりしたリモコンの位置を特定するのも不便である。
【課題を解決するための手段】
【０００７】以上、本発明は上記の生活必需品である携帯電話・リモコン機器類等の小物をベッドパット側面に収納ポケットを作ることで、寝たままの状態で便利に使用することや部屋の整理整頓も容易に解決しようとするものである。【０００８】夜間就寝時にベッドパット側面の小物収納ポケットに携帯電話・リモコン機器類を収納することでベッドの上からの落下防止・起き上がった際の破損防止にもなる。【０００９】同様に夜間就寝時の暗い部屋でエアコンの設定温度変更やテレビ・ビデオ・ステレオの操作をする時等にベッドパット側面の小物収納ポケットからリモコン機器を取り出せば暗い部屋でも便利に使用できる。【００１０】ベッドパット小物収納ポケット内に携帯電話を就寝時にアラーム機能にすることで目覚まし時計同様の効果としても便利に使用できる。【００１１】又、第２の課題解決として身体障害者等の介護用ベッドに対しベットパット側面に小物収納ポケットを使用することで寝たままの状態でリモコン機器の操作が可能である。
【発明の効果】
【００１２】本発明は従来のベッドパット同様のベッドの汚れ防止のみではなく、ベッドパット両側面に小物収納ポケットを作ることで携帯電話やリモコン機器（エアコン・テレビ・ビデオ・ステレオ）等の小物を収納した利便性・安全性を提供できる。
【発明を実施するための最良の形態】
【００１３】図１のようにベッドパットの両側面をパット部と同一繊維（キルト綿等のキルティング製品）で縦幅部分を両サイド４００ｍｍ延長し、その部分を折り曲げてベッド側面垂直となるようにする。
次に、図２のようにベッド両側面に延長した４００ｍｍ部分の素材を、さらに半分の２００ｍｍに折りたたみ、収納ポケットを作る。
ベッドパットの大きさはシングル（Ｓ）・セミダブル（ＳＤ）・ダブル（Ｄ）で以下の大きさが必要目安である・
Ｓタイプ  ：Ｗ２０００ｍｍ×Ｈ１８００ｍｍ    （通常サイズＨ１０００ｍｍ＋延長サイズＨ８００ｍｍ）
ＳＤタイプ：Ｗ２０００ｍｍ×Ｈ２０００ｍｍ    （通常サイズＨ１２００ｍｍ＋延長サイズＨ８００ｍｍ）
Ｄタイプ  ：Ｗ２０００ｍｍ×Ｈ２２００ｍｍ    （通常サイズＨ１４００ｍｍ＋延長サイズＨ８００ｍｍ）【００１４】図２のようにベッドパット両側面部にポケットを作り、携帯・リモコン機器類等の小物が収納可能とする。
ポケットの大きさはＷ２５０ｍｍ×Ｈ２００ｍｍを目安とする。【００１５】ベッド側面完成図として図３のように、小物収納ポケットを作成する。
【産業上の利用可能性】
【００１６】従来品同様の繊維（キルト綿等のキルティング製品）を使用する為、低コスト化が図れる。
【図面の簡単な説明】
【００１７】
【図１】本発明の実施形態を示す全体図
【図２】ベッド側面（折り曲げ位置）
【図３】ベッド側面（完成図）
【符号の説明】
【００１８】Ｓ  ：シングルサイズ
ＳＤ：セミダブルサイズ
Ｄ  ：ダブルサイズ
Ｗ  ：横幅
Ｈ  ：縦幅
【図１】
2006320670.tif 000003
【図２】
2006320670.tif 000004
【図３】
2006320670.tif 000005
(57)【要約】      （修正有）【課題】理美容で施術を行う時、シャンプー台でお客様の顔に水が掛からない様に顔にカバーする為に使う物である。通常のフェイスガーゼを使用する場合に生じる、ずれたり息苦しくなったりお客様が不快になったり化粧が取れたりする等のトラブルを無くすフェイスカバーを提供する。【解決手段】顔に掛けるフェイスカバーは撥水加工の紙を使用する。鼻、口元部分は蛇腹形態によりフェイスカバーを引っ張るとドーム型の形成に素早くなり額部分もアーチ状になりより額部分が密着度を増すのでこの部分には細い針金を取り付ける。【選択図】図１
2006320663.tif 000002
【特許請求の範囲】
【請求項１】
フェイスカバーに使用する布は蛇腹付きの撥水加工紙を使用。
【請求項２】
フェイスカバーの額部分には細い針金を撥水加工紙の中に形成された請求項１の密着性にすぐれ通気性の良いフェイスカバー。
【発明の詳細な説明】
【技術分野】
【０００１】  本発明は、理美容のシャンプー台で施術の際、お客様の顔にペーパー等を掛け、水などを顔に掛けない様にするフェイスカバーに関するものである。
【背景技術】
【０００２】  従来、理美容で施術の時、フェイスカバーは布状又は紙を使用している。
【発明の開示】
【発明が解決しようとする課題】
【０００３】  布状や紙のフェイスカバーを使うと、次のような問題点があった。
シャンプー台で施術の際フェイスカバーがずれて顔に水が掛かる事、鼻や口周りも圧迫されて息苦しい事などがある又、化粧なども取れる事がある。
本発明は、これらの問題点を解決するためになされたものである。
【課題を解決する為の手段】
【０００４】    フェイスカバーに使用する布は撥水加工の紙にする。鼻と口周り部分は蛇腹状の形態にする。額に当たる部分には細い針金を撥水加工の紙の中に入れておく。
本発明は、以上の構成からなる簡単でずれにくく通気性の良いフェイスカバーである。
【発明の効果】
【０００５】  本発明を使用する事により額部分の密着性が高い分、施術中にフェイスカバーがずれる事がなくなり、鼻と口周りを蛇腹状にする事でフェイスカバーを引っ張るとドーム型になる事で息の苦しさが無くなり通気性に優れたフェイスカバーになる。
【発明を実施するための最良の形態】
【０００６】以下、本発明の実施の形態を説明する。
（イ）水分を弾く様にフェイスカバー全体を撥水加工の紙を使用する（１）。
（ロ）フェイスカバー（４）は蛇腹状の形態にする。（２）（３）を引っ張る事により（４）がドーム型の形に形成される。
（ハ）（５）の部分に細い針金を入れておく。（２）（３）を引っ張る事によりアーチ状の形態になり、より額部分の密着度が高まる。
本発明は以上の構成からなる。
本発明を使用する場合は、必ず（２）（３）を引っぱり（４）をドーム型にして鼻と口元に当てがい顔をカバーする、額にかかった針金を技術者の左右の親指で撫で付ける様にフィットさせる。
【図面の簡単な説明】
【０００７】
【図１】  本発明の平面図
【図２】  本発明の立体図
【符号の説明】
【０００８】（１）撥水加工紙、（２）撥水加工紙額部分、（３）撥水加工紙顎部分、（４）撥水加工紙蛇腹部分、（５）針金
【図１】
2006320663.tif 000003
【図２】
2006320663.tif 000004
(57)【要約】【課題】従来の靴は、密閉性が高いために蒸れやすく、足が蒸れることで不快感を感じ、しいては嫌な匂いや、水虫の原因になっていた。【解決手段】靴底（２）を通気性の良い素材や構造にし、靴底の下に空間（４）を設けて、更にその空間部に取り替え可能な吸湿剤（５）を入れることにより湿気の無い快適な靴であることを特徴とする。【選択図】  図３
2006320669.tif 000002
【特許請求の範囲】
【請求項１】
靴の底が通気が良い素材や網目状などの構成になっており、その下の靴底に空間を設けて、吸湿剤を入れることにより、蒸れない状態にした機能的靴。
【発明の詳細な説明】
【技術分野】
【０００１】    この発明は、靴底の下に空間を設けて、足裏部分は通気性の良い素材にして、靴底の下の空間部分に吸湿剤を入れた機能的な靴に関するものである。
【背景技術】
【０００２】    従来、靴底と足裏は遮断されており密閉されていて、靴底の下の部分に空間はなかった。
【発明の開示】
【発明が解決しようとする課題】
【０００３】これは次のような問題があった。
足が蒸れることで、不快感を感じ、しいては水虫などの原因にもなりうる。
本発明は、以上の欠点をなくすためになされたものである。
【課題を解決するための手段】
【０００４】１）靴底を通気性の良い素材や、構造にする。
２）靴底の下に空間を設ける。
３）その空間に吸湿剤を入れることができる構造にする。
４）その吸湿剤は取り替えることができる。
【発明の効果】
【０００５】この構造により湿気を常に吸収してくれて蒸れない機能的な靴にできる。
【発明を実施するための最良の形態】
【０００６】  以下、本発明の実施例について説明する。
１）靴（１）の靴底部（２）を通気性の良い素材・または、構造（網目構造など）にす      る。
２）靴底の下の部分（３）は、通常密閉されているが、空間（４）を設ける。
３）その空間に吸湿剤（５）を置く。
４）湿剤は、取り替えられるように、出し入れ口（６）を設けるが、この場所はどこでも可能である。
５）尚、吸湿剤だけでなく、銅素材などの、脱臭剤を入れることで更に最良の快適な機能    的靴になる。
【図面の簡単な説明】
【０００７】
【図１】本発明の平面図である。
【図２】本発明の正面図である。
【図３】本発明の靴底の断面図である。
【符号の説明】
【０００８】靴（１）
靴底部（２）
靴底の下の部分（３）
空間（４）
吸湿剤（５）
【図１】
2006320669.tif 000003
【図２】
2006320669.tif 000004
【図３】
2006320669.tif 000005
【図４】
2006320669.tif 000006
【手続補正書】
【提出日】平成17年7月4日(2005.7.4)
【手続補正２】
【補正対象書類名】明細書
【補正対象項目名】０００７
【補正方法】変更
【補正の内容】
【０００７】
【図１】本発明の平面図である。
【図２】本発明の正面図である。
【図３】本発明の靴底の断面図である。
【図４】本発明の靴底部の平面図である。
(57)【要約】【課題】    本発明は、やきとり等のバラ焼き加熱調理用具に関するものである。【解決手段】底辺に複数の穴を開けたことを特徴とする、バラ焼き加熱調理器具。【選択図】        図１
2006320666.tif 000002
【特許請求の範囲】
【請求項１】
底辺に複数の穴を開けたことを特徴とする，バラ焼き加熱調理器具。
【発明の詳細な説明】
【技術分野】
【０００１】本発明は、やきとり等のバラ焼き加熱調理器具に関するものである。
【背景技術】
【０００２】従来、やきとりのバラ焼きは金網状の平板や籠で焼くのが一般的だった。
【発明の開示】
【発明が解決しようとする課題】
【０００３】そのために、次のような問題点があった。
（イ）網焼きでは、部分的焼き焦げなどで均一な焼き上げが困難だった。
（ロ）網焼きでは、針金接触部分が焼き付き、まぜにくかった。
（ハ）針金は高熱に対して耐久性が低く寿命が短かった。
（ニ）焼き工程で塩など調味料ふりかける際に網目から下に落ちるため、量的な無駄が多かった。
（ホ）網焼き器具は、焼き終了後の掃除作業に手間がかかった。
（ニ）鉄板焼き調理の場合脂分の多い食材では、脂分が抜けずに食味が悪かった。
本発明は以上の問題点を解決するためになされたものである。
【課題を解決するための手段】
【０００４】底辺に複数の穴を開けたことを特徴とする、バラ焼き加熱調理器具である。
【発明の効果】
【０００５】  上記により、金網焼きと比較して片手で器具そのものを操作することが出来るので、火加減や料理素材の混ぜ返しが容易となり、焼きあがりが均一化し味のバラつきが少なくなる。
塩など調味料をふりかける際、食材に直接かかる分と鉄板部分の付着分が食材にからみ下に落ちる損失が軽減できる。
器具本体は金網に比べて、高熱耐久性に優れ寿命が長く経済的である。使用後の掃除は水とスポンジ洗浄が可能となり簡便で作業性が良い。
一方通常フライパン調理はは食材から出る脂分で料理が脂こくなる。この脂分を底部穴から抜くことで料理がおいしくできる。
やきとりバラ焼きの場合、串刺しに比べて串うち作業及び串が不要で原価が低減できる。
器具本体を予め加熱しておけば、調理時間の短縮でスピード提供につながる。
【発明を実施するための最良の形態】
【０００６】  以下、本発明の実施の形態について説明する。
（イ）フライパン等の加熱調理器具本体（１）底部に複数の格子状貫通穴（２）を設ける。穴（２）は四角状又は円形で底部全体に均等に配置して、その位置については特定しない。
（ロ）調理器具本体（１）の先端部分（３）は、返しを容易にするために丸みをつける。手前側角部分（４）は掃除しやすくするために左右両角を丸くする。
（ハ）用具の深さは、片手で前後振りしても食材が飛び出しにくい充分の高さにする。
（ニ）本体（１）の手前側に、耐熱性の柄（５）を設け取っ手とする。
本発明は以上の構成からなるもので、以下使用法について説明する。
やきとりバラ焼きの場合、本体（１）を炭火焼き台上であらかじめ過熱状態にしてその中に食材を投入してフライパンを返しながら、塩など調味料を加え加熱調理する。本体（１）の穴（２）を通じて炭火の熱が直接食材に伝わる遠赤外線効果と本体底部鉄板部分からの鉄板焼き双方の特徴をいかした加熱調理器具である。
加熱で食材からでる脂分は、本体の穴（２）から余分の脂分を除去すると同時に落ちた脂分は燃焼、その煙の一部は再び穴（２）を通じて食材と接し香りつけの効果をだす。
図面上は卵焼き型のフライパン形状の本体（１）を示したが丸型、四角型などすべての形状が可能である。又本体の材質など金属の種類や加工の方法は限定しない。
【図面の簡単な説明】
【０００７】
【図１】本発明の斜視図
【図２】本発明の調理器具の平面図
【図３】本発明の断面図
【符号の説明】
【０００８】１  は調理器具本体
２  は貫通穴
５  は柄
【図１】
2006320666.tif 000003
【図２】
2006320666.tif 000004
【図３】
2006320666.tif 000005
(57)【要約】【課題】本発明は、仕事や日常生活で書籍や書類等を頻繁に目にし、整理して保存しておく本立ての使い勝手を向上させるものです。通常の本立ては、脇の支えがないと倒れてしまうためブックエンドで押さえておきます。何か抜き取れば隣の物（書籍、書類等）は、ルーズな状態（傾いたり変形したり）になります。入れるときは、ブックエンドを外して入れた後またその状態に合わせて、ブックエンドを固定しなければなりません。結構煩わしい作業が必要です。その煩わしい動作、作業を省略するのが本発明です。【手段】本立ての底板を二重構造にし、底板の上面と下面を繋ぐ溝を設ける。底板の上面に設置するブックエンドの下側に溝に合わせてスライド板固定し、底板下面に固定したバネとスライド板を固定する。【選択図】図１
2006320667.tif 000002
【特許請求の範囲】
【請求項１】
本立ての底板を二重構造にして、底板の上面と下面を繋ぐ溝を設ける。
底板の上面に設置されたブックエンドを溝を通じて下面へ連結する。
底板の下面の部分にバネを固定し片方をブックエンドに固定する事によって、ブックエンドは、何冊か入っている本、書類等の外側を常に固定し、本、書類等は整然と、直立する仕組み。
【請求項２】
ブックエンド上部に傾斜をつける事により、本、書類等を片手で本立てに収納できるブックエンドの構造。
【請求項３】
底板の溝部分に差し込まれるスライド部分の外れ防止の構造。
【発明の詳細な説明】
【技術の分野】
【０００１】      この発明は、本立ての、本、書類等を常に整理整頓して、見やすく使いやすい環境を提供しようとするものである。
【背景技術】
【０００２】      従来、本立てより、本、書類等を出し入れする度に、残った本、書類等が倒れたり、ブックエンドを調整したり手間がかかる。度々出し入れするさいは積み上げて置いたりする。一回ごと整理していたのでは仕事がはかどらない。
【発明の開示】
【発明が解決しょうとする課題】
【０００３】    煩雑な手間がかかり煩わしい本、書類等の整理を取り除き、本立て、及びその周辺の美観を保つのが、本発明である。
【課題を解決するための手段】
【０００４】    本立ての底板を二重構造にして、底板の上面と下面を繋ぐ溝を設ける。
底板の上面に設置されたブックエンドが溝を通じて下面へ連結し、下面に取り付けられたバネに繋ぐことで、ブックエンドは絶えず一定方向に力が作用する状態になる。傾斜をつけたブックエンド上部からは、片手でも本、書類等を押し込めばそれだけで、直立不動の状態を保つ本立てとなる。
【発明の効果】
【０００５】    本発明を利用すれば、本、書類等を出し入れする際、常に直立不動の状態を保ち片手で容易に作業ができる。作業性能の向上と美的感覚を提供する。
【発明を実施するための最良の形態】
【０００６】    以下、本発明の実施の形態を説明する。
（イ）  本立て底板にブックエンドをスライドさせる溝を作る。
（ロ）  溝の幅に合わせてブックエンドの下部にスライド板を着ける。
（ハ）  底板の下の部分にバネを固定しブックエンド下部に取り付けたスライド板に繋ぐ。
（ニ）  スライド板に軌道からの外れ防止金具を取り付け。
以上の構成で完成である。
【図面の簡単な説明】
【０００７】
【図１】本発明の斜視図
【図２】本発明の下面より正面図
【図３】本発明の要部下面より斜視図
【符号の説明】
【０００８】    （１）底板、（２）ブックエンド、（３）バネ、（４）スライド板、（５）外れ防止
【図１】
2006320667.tif 000003
【図２】
2006320667.tif 000004
【図３】
2006320667.tif 000005
(57)【要約】【課題】食器水切りケースの水滞留する問題、まな板を置きにくい問題。【解決手段】  ケースの底を波状にする。食器を安定させるため、波の高さを同一にし、波と波の間のみぞが弧形に、奥よりケースの間仕切りの所をだんだん深く、みぞを斜面にする。水を斜面に沿って低い所に流し、水を一箇所に溜める。それに請求２、溜める所で拭き取る。  まな板を水溜まるところで設けた段の上におき、背面はケースの間仕切りに立てかける。【選択図】図１
2006320668.tif 000002
【特許請求の範囲】
【請求項１】
食器ケースの底を波状斜面にして、波の山部分は高さ同じで，波の谷の部分はうしろは手前よりやや高く、斜面になり。食器から落ちた水を斜面に沿って、一箇所に溜まらせる仕組み。
【請求項２】
水を溜める所を設けること。
【請求項３】
水を溜めるところに段を設け、まな板立て場所等にする。
【発明の詳細な説明】
【技術分野】
【発明の開示】
【０００１】  従来の食器ケースは水切りと外側水受けケースとのセットで利用されている。洗った食器から落ちる水が外受けケースに溜まってしまい，雑菌が繁殖しやすく、不衛生である。水を捨てるために、水切りをいったん外受けケースから取り出して、外受けケースの水を捨てる。ちょっと面倒である。
【課題を解決するための手段】
【０００２】  図１のように、ケースの底を波状にする。食器を安定させるため、波の高さを同一にし、波と波の間のみぞが弧形に、奥よりケースの間仕切りの所をだんだん深く、みぞを斜面にする。水を斜面に沿って低い所に流し、水を一箇所に溜める。それに請求２、溜める所で拭き取る。食器すべり止めに、波の山に切口をいれる。
請求３により、まな板を段の上におき、背面はケースの間仕切りに立てかけて、一番邪魔なまな板の専用水切り場をつくる。
周壁にかわいいデザインの小窓を設け、レンゲ等小さく、短いものが置きやすくなる。ちなみに、ケース全体風通しが良くなり、食器乾きやすくなる。
【発明の効果】
【０００３】  食器ケースに水が滞留しなくなり、溜り水による不衛生さが改善する。
【図面の簡単な説明】
【０００４】
【図１】全体構成図
【図１】
2006320668.tif 000003
(57)【要約】      （修正有）【課題】消化吸収を助け、適度な栄養を補い、口当りも良く安心して食する事の出来るいなり寿司を提供する。【解決手段】油揚げを煮汁がなくなるまで煮上げる為腐りにくく、酢や生姜を使う事により胃もたれや胸焼けを起こしにくく、胡麻と油揚げで体に必要なアミノ酸を摂取する事が出来、酢飯に昆布のエキスを染みこます事によりミネラルの補給が出来、化学調味料や防腐剤を含まず、子供から大人まで安心して食する事の出来るいなり寿司を提供する。【選択図】なし【特許請求の範囲】
【請求項１】
胃もたれを起こさず、消化吸収を促すいなり寿司。
【請求項２】
油揚げを煮る際に、酒、味醂、醤油、ザラメ又は砂糖等で４５分程度煮上げ、煮汁を油揚げに吸収させ、そのまま冷し、２〜３日冷蔵で寝かせ味を安定させ、尚且つ熟成させる事を特徴とする。
【請求項３】
油揚げに、水を使わない調理をする事により、化学調味料又は防腐剤等を使わずに２〜３日は日保ちする事を特徴とする。
【請求項４】
酢の中に、昆布とみじん切りの根生姜を入れ２〜３日寝かし、根生姜の辛みを和らげ、胃に優しい酢飯の素を作る事を特徴とする。
【請求項５】
請求項４を白米に混ぜ酢飯を作り、更に酢飯を作る際に金又は白の胡麻を混ぜ、ビタミン、カルシウム、ミネラル、鉄等を吸収出来る事により、成長期の子供や、食が偏りがちな成人、又カルシウム不足になりがちなお年よりにも最適な事を特徴とする。
【請求項６】
請求項５の酢飯を、請求項２の油揚げの中に詰め、ビタミン、カルシウム、ミネラル、鉄等をバランス良く吸収出来る、健康いなり寿司が出来る事を特徴とする。
【請求項７】
酢飯に根生姜を加える事により、食しても胃もたれを起こしにくい事を特徴とする。
【請求項８】
油揚げを調理する際に水を使わないので、冷蔵保存しても味が変化しにくい事を特徴とする。
【請求項９】
水を使わない調理と、殺菌作用のある生姜や酢を使う酢飯の為、腐りにくいので、梅雨時や夏場の弁当等にも最適である事を特徴とする。
【発明の詳細な説明】
【発明の詳細な説明】
【０００１】この発明は、いなり寿司に関する。
【０００２】胃もたれや胸焼けなど起こしにくく、消化吸収を促し安全に食する事の出来るいなり寿司である。
【０００３】体に不足しがちなビタミン、ミネラル、カルシウム、鉄等を摂取し易いいなり寿司である。
【発明が解決しようとする課題】
【０００４】従来のいなり寿司では、偏食のある子供や食欲の落ちている方では、しつこく胃がもたれたり胸焼けを起こしたり、甘過ぎて違和感が口に残る事などがありました。そこで、この発明は消化吸収を助け、適度な栄養を補い、口当たりも良く安心して食する事の出来るいなり寿司を提供する事を課題とする。
【０００５】水を使わずに調理する事により、腐りにくい事を特徴とする。
【０００６】根生姜を使う事により、消化吸収を促す事を特徴とする。
【０００７】胡麻と油揚げに含まれる大豆を組み合わせるとアミノ酸を補い合い、体に必要なアミノ酸を摂取出来る事を特徴とする。
【０００８】昆布を使う事により、ミネラルが補給出来る事を特徴とする。
【０００９】酢飯によりもたれや胸焼けを起こしにくく、食し易い事を特徴とする。
【００１０】従来の酢飯とは違い、酢飯を作る際に砂糖、塩を加えず昆布を酢の中に入れる事により酢飯に糖分や塩分を加える事がなく、昆布の出すエキスにより、甘みを抑えた口当たりの良いいなり寿司である事を特徴とする。
【００１１】生姜と酢の殺菌効果により、従来のいなり寿司より日保ちする事を特徴とする。
【図面の簡単な説明】
【００１２】
【図１】この発明品を示す斜視図です。
【図１】
2006320299.tif 000002
(57)【要約】【課題】海水は電気伝導度が良いが、帰路が長いのでｉｎｔｅｒｃｅｐｔｅｒを用い本船と直接銅線で電気接続をして、全体の直流抵抗を低く抑へる。電解コンデンサーの耐圧一杯迄使ふ様になり若干不安は残る。【解決手段】銅線なら各種、何処にでもあるが機械的に弱いのでステンレススチールの撚線を特註したが、絶縁のビニールコートが今一つシックリこない。需要が増えればもつと良い物が出來るだろう。ステンレススチール線に銅線を挾んで編めばもっと低抵抗の物が出來る。現在は  １ｍ−１Ω位【選択図】図１
2006320300.tif 000002
【特許請求の範囲】
【請求項１】
魚が餌に喰いついた時、其の力でスヰッチが入りコンデンサーに蓄電された電荷を一気に放電する為には、回路の内部抵抗が低くなければならない。  独立したボートやフロートの下部海中に金属の極板等を取付けＩｎｔｅｒｃｅｐｔｅｒとして本船の陰極に接続すれば、撰択図の様に此のフロートの両側に配置された、陽極の餌の付いている釣針との距離は約３ｍ程なので海水を通る直流抵抗は低く、電圧を上げなくとも目的を達する事が出來る。此の様に小船等の底に海水の接触面を大きくした電極を用い、餌の付いた左右両陽極の近くに設置し、海中を流れる帰還電流の距離を短かくして、内部抵抗を低く抑えた構成の感電魚獲方法。
【請求項２】
此のフロートに水中ビデオカメラや、ソナーの振動子を付けて、本船でモニターを見ながら魚影を確認すれば、約１００ｍ先の魚群の行動や、進行方向が解るので、余裕をもって本船を最適位置に操船する事が出來る。此の様な構成を持つた魚獲装置。
【発明の詳細な説明】
【技術分野】
【０００１】  本発明はかかった大魚を絶対に逃さない為のカイドラインである。
【背景技術】
【０００２】  船に曳き寄せて引き上げる時に仮死状態にする物はあったがそこに至る迄にバラしてしまう事が多く、漁師達は残念がっていた。
【発明の開示】
【発明が解決しようとする課題】
【０００３】  魚が餌に喰いついた時点で選択図の様にＩｎｔｅｒｃｅｐｔｅｒを通してコンデンサーに充電された、矩形波を一気に放電するので、仮死状態となり魚が暴れ釣糸を切られる心配がなく、確実に魚獲できる効果が究めて大きい。
【課題を解決するための手段】
【０００４】  コンデンサーに蓄電した電荷を一気に放電する為には全体の内部抵抗を極力少くする必要が有り。    餌の付いたビニールコートされたステンレスラインは１００ｍで約１００Ω、海水の抵抗は３ｍで約５０Ω  Ｉｎｔｅｒｃｅｐｔｅｒから本船迄のＡＣ  ｃｏｒｄパラレル接続で２０Ωですので、海中での直流抵抗を少しでも少くする事が重要です。
【発明の効果】
【０００５】  １００ｍ先の魚の様子や振舞いが解ると云う事は大変重要なことで操船や漁に時間的余裕が出來き、安心感が生れる。
【産業上の利用可能性】
【０００６】  上述した様に本発明は魚を始めから仮死状態にするので、マグロの様に群れて回遊する魚類は、長時間魚とファイトする事なく、静かに一本釣りされれるので、仲間の魚に気付かれぬ内にすぐ次の餌を投入することが出來、連続的に釣れるので効率が良い。
【図面の簡単な説明】
【０００７】
【図１】  使用状態図
【図１】
2006320300.tif 000003
(57)【要約】【課題】本発明は、ゴキブリたたき器である。ゴキブリを叩いた後の始末を簡便にするゴキブリたたき器を提供する。【手段】蝿たたきの形状をしたゴキブリたたきに粘着シートを付ける。粘着シートは角で、一辺に粘着させない部分を設ける。ゴキブリを叩き殺した後、その粘着させない部分をつまめるようにすることにより、シートが容易に剥がせるようにする。シートを剥がすと次に新しいシートが現れる。その新しいシートには剥離紙を付けた板状の蓋をすることにより粘着性を保つ。【選択図】図２
2006320297.tif 000002
【特許請求の範囲】
【請求項１】
ゴキブリを固定させた粘着シートの端を粘着させないただのシートにすることにより、シートの取り外しが容易になるゴキブリたたき器。
【請求項２】
シートの粘着性を保つために剥離紙をつけた板状により蓋をするゴキブリたたき器。
【発明の詳細な説明】
【技術分野】
【０００１】  本発明は、ゴキブリを発見した時速やかにたたき殺し、その後の片付け処理を容易にし、なお且つ収納もスマートなゴキブリたたき器に関するものである。
【背景技術】
【０００２】  従来、ゴキブリを殺すのはスプレー式殺虫剤をかけたり、粘着シートで仕掛けたり新聞や雑誌を丸めてたたくのが一般的である。
【発明の開示】
【発明が解決しようとする課題】
【０００３】  ゴキブリを発見した時、殺すのに次のような問題点があった。スプレー式殺虫剤をかけたり、新聞等でたたき殺した後、ゴキブリの死骸が生々しく後片付けが難儀であった。
本発明は、以上の問題点を解決し、ゴキブリを速やかに叩き殺し死骸処理を簡単に出来、収納もスマートに出来るようになされたものである。
【課題を解決するための手段】
【０００４】  蝿たたきの形状をしたゴキブリたたきに粘着シートを付ける。粘着シートは四角で、一辺に粘着させない部分を設ける。ゴキブリを叩き殺した後、その粘着させない部分をつまめるようにすることにより、シートが容易に剥がせるようにする。シートを剥がすと次に新しいシートが現れる。その新しいシートには剥離紙を付けた板状の蓋をすることにより粘着性を保つ。
本発明は以上の構成によりなる、ゴキブリ死骸の処理が簡便なゴキブリたたき器である。
【発明の効果】
【０００５】  本発明でゴキブリをたたき殺した後はシートを剥がして捨てるだけなので死骸の処理を簡単にすることが出来る。
【発明を実施するための最良の形態】
【０００６】  以下、本発明の実施の形態を説明する。
（イ）ハエたたきの形状をした樹脂（１）に幾重からなる一辺が粘着していない粘着シート（２）を装着する。
（ロ）（１）の粘着シートの付いている面でゴキブリをたたく。
（ハ）粘着シートの粘着してない一辺からシートを剥がして捨てる。
（ニ）次のシートが現れる。
（ホ）剥離紙を付けた板状の蓋（３）を（ニ）のシートに付ける。
（ヘ）新たにゴキブリを発見した時に（３）の蓋を取る。
（ト）以下（ロ）以降を繰り返す。
（チ）粘着シートが切れたらまた新たな幾重からなるシートを（１）に装着する。
本発明は以上の構成よりなる。
【図面の簡単な説明】
【０００７】
【図１】本発明の正面図
【図２】本発明の断面図
【符号の説明】
【０００８】  （１）ハエたたきの形状をした樹脂、（２）一辺が粘着していない粘着シート、（３）薄利紙を付けた板状の蓋、（４）吊り孔
【図１】
2006320297.tif 000003
【図２】
2006320297.tif 000004
(57)【要約】 【課題】  大豆製品の副産物として得られるオカラを有効活用し得る豆乳の製造方法を提供すること。【解決手段】  豆乳の製造方法では、オカラを準備し、準備したオカラ及び水を圧力釜に入れて加圧下で熱し、圧力釜内で加圧下で熱せられて所定量の水が蒸発したオカラ及び水の混合体に前記所定量以上の水を加えてミキサーにより粉砕し、ミキサーにより粉砕した豆乳溶液とアロエ、明日葉及び茶葉のうちの少なくとも一つからなるペーストとを銅製釜に入れ、銅製釜に入れた豆乳溶液とペーストとの混合溶液を攪拌しながら加熱する。【特許請求の範囲】
【請求項１】
オカラを準備し、準備したオカラ及び水を圧力釜に入れて加圧下で熱し、圧力釜内で加圧下で熱せられて所定量の水が蒸発したオカラ及び水の混合体に前記所定量以上の水を加えてミキサーにより粉砕する豆乳の製造方法。
【請求項２】
圧力釜に入れるオカラの質量Ｍａと圧力釜に入れる水の体積Ｖａとの比Ｍａ／Ｖａは０．５であり、圧力釜内で加圧下で熱せられて蒸発される混合体中の水の体積Ｖｂと体積Ｖａとの比Ｖｂ／Ｖａは０．１である請求項１に記載の豆乳の製造方法。
【請求項３】
圧力釜内で加圧下で熱せられて所定量の水が蒸発した混合体の質量Ｍｂと当該混合体に加える水の体積Ｖｃとの比Ｍｂ／Ｖｃは１．０である請求項１又は２に記載の豆乳の製造方法。
【請求項４】
ミキサーにより粉砕した豆乳溶液とアロエ、明日葉及び茶葉のうちの少なくとも一つからなるペーストとを銅製釜に入れ、銅製釜に入れた豆乳溶液とペーストとの混合溶液を攪拌しながら加熱する請求項１から３のいずれか一項に記載の豆乳の製造方法。
【発明の詳細な説明】
【技術分野】
【０００１】
本発明は、オカラ（豆腐殻）を原料にした豆乳の製造方法に関する。
【背景技術】
【０００２】
【特許文献１】特開２００２−１１９２３５号公報
【０００３】
例えば特許文献１には、豆腐の製造方法が提案されている。斯かる製造方法においては、オカラが副産物として得られる。また、オカラは、油揚げ等を製造する際にも副産物として得られる。
【発明の開示】
【発明が解決しようとする課題】
【０００４】
ところで、斯かる豆腐の製造方法等により副産物として得られたオカラは、大豆の栄養素の多くを含んでいるが、大半が廃棄されており、斯かるオカラの有効活用を図り難い。
【０００５】
本発明は、前記諸点に鑑みてなされたものであり、その目的とするところは、大豆製品の副産物として得られるオカラを有効活用し得る豆乳の製造方法を提供することにある。
【課題を解決するための手段】
【０００６】
本発明の豆乳の製造方法は、オカラを準備し、準備したオカラ及び水を圧力釜に入れて加圧下で熱し、圧力釜内で加圧下で熱せられて所定量の水が蒸発したオカラ及び水の混合体に前記所定量以上の水を加えてミキサーにより粉砕することを含んでいる。
【０００７】
本発明の豆乳の製造方法によれば、副産物として得られるオカラを原料として滑らかな豆乳を製造することができ、而して、オカラを有効活用することができる。
【０００８】
本発明の豆乳の製造方法の好ましい例では、圧力釜に入れるオカラの質量Ｍａと水の体積Ｖａとの比Ｍａ／Ｖａは０．５であり、圧力釜内で加圧下で熱せられて蒸発される混合体中の水の体積Ｖｂと体積Ｖａとの比Ｖｂ／Ｖａは０．１である。
【０００９】
本発明の豆乳の製造方法の好ましい例では、圧力釜内で加圧下で熱せられて所定量の水が蒸発した混合体の質量Ｍｂと当該混合体に加える水の体積Ｖｃとの比Ｍｂ／Ｖｃは１．０である。
【００１０】
本発明の豆乳の製造方法の好ましい例では、ミキサーにより粉砕した豆乳溶液とアロエ、明日葉及び茶葉のうちの少なくとも一つからなるペーストとを銅製釜に入れ、銅製釜に入れた豆乳溶液とペーストとの混合溶液を攪拌しながら加熱する。
【発明の効果】
【００１１】
本発明によれば、大豆製品の副産物として得られるオカラを有効活用し得る豆乳の製造方法を提供し得る。
【発明を実施するための最良の形態】
【００１２】
次に、本発明の実施の形態の例を詳細に説明する。尚、本発明はこれらの例に何等限定されないのである。
【実施例】
【００１３】
本例の豆乳の製造方法では、まず、豆腐、油揚げ等の製造において副産物として得られた乾燥させたオカラ２．５ｋｇを準備し、このオカラ２．５ｋｇを圧力釜に入れ、当該圧力釜に水５．０リットルを加えた。圧力釜に入れるオカラの質量Ｍａと圧力釜に入れる水の体積Ｖａとの比Ｍａ／Ｖａは０．５である。圧力釜の内径は２７ｃｍであり、当該圧力釜の深さは３０ｃｍである。
【００１４】
次に、圧力釜内のオカラと水との混合体７．５ｋｇを当該圧力釜により加圧下で５０分間熱して、混合体から水５００ｃｃを蒸発させた。前記蒸発される混合体中の水の体積Ｖｂと水の体積Ｖａとの比Ｖｂ／Ｖａは０．１である。
【００１５】
次に、圧力釜内で加圧下で熱せられて所定量の水が蒸発した混合体７．０ｋｇを当該圧力釜から他の容器に移し、当該他の容器に水７．０リットルを加えてミキサーにより粉砕し、このようにして豆乳溶液を得た。圧力釜内で加圧下で熱せられて所定量の水が蒸発した混合体の質量Ｍｂと当該混合体に加える水の体積Ｖｃとの比Ｍｂ／Ｖｃは１．０である。尚、圧力釜で加熱した混合体は、他の容器に移さずに、水７．０リットルを圧力釜に加えてミキサーにより粉砕してもよい。
【００１６】
上述のようにして得た豆乳溶液はそのまま豆乳としてもよいが、斯かる豆乳溶液に、緑色を呈する植物、例えばアロエ、明日葉及び茶葉（茶の若葉を含む）のうちの少なくとも一つからなるペーストを加えて豆乳としてもよい。また、斯かる豆乳にはオリゴ糖等の調味料が添加されてもよい。
【００１７】
豆乳溶液に上記ペーストを加える場合には、他の容器又は圧力釜内の豆乳溶液を銅製釜に移し、当該銅製釜にアロエ、明日葉及び茶葉（茶の若葉を含む）のうちの少なくとも一つからなる適量のペーストを入れ、銅製釜内の豆乳溶液とペーストとからなる混合溶液を攪拌しながら煮沸（加熱）する。銅製釜は、例えば回転により混合溶液を攪拌する回転翼を内部に有した銅製の直火固定釜からなっていてもよい。
【００１８】
本例の豆乳の製造方法によれば、オカラを準備し、準備したオカラ及び水を圧力釜に入れて加圧下で熱し、圧力釜内で加圧下で熱せられて所定量の水が蒸発したオカラ及び水の混合体に前記所定量以上の水を加えてミキサーにより粉砕するために、副産物として得られるオカラを原料として栄養価の高い滑らかな豆乳を製造することができ、而して、オカラを有効活用することができる。
【００１９】
本例の豆乳の製造方法によれば、ミキサーにより粉砕した豆乳溶液とアロエ、明日葉及び茶葉のうちの少なくとも一つからなるペーストとを銅製釜に入れ、銅製釜に入れた豆乳溶液とペーストとの混合溶液を攪拌しながら加熱するために、アロエ、明日葉、茶葉等が呈する緑色をそのまま生かした緑色を有する豆乳を製造し得る。
【００２０】
尚、本例の豆乳の製造方法によって製造された豆乳を更に煮詰めることにより豆乳ペーストを得ることができる。
【００２１】
本例の豆乳製造方法に基づいて製造された上記の豆乳ペーストを用いて豆乳入饅頭、豆乳入ダンゴ、豆乳入羊羹、豆乳入センベイ、豆乳入パン、豆乳入ケーキ、豆乳入クッキー等のパンや菓子類を得ることができる。
【００２２】
また、上記の豆乳ペーストを用いて豆乳入入浴剤、豆乳入石鹸を得ることができる。
(57)【要約】【課題】乳清の用途を広げ、その有効利用を図ることができる乳清食品およびその製造方法を提供する。【解決手段】乳を乳酸菌発酵させた後、発酵により凝固したカードと乳清とに分離し、分離した乳清を限外濾過膜で濾過し、膜非透過の濃縮液に乳糖分解酵素を加えて乳糖を分解する。その酵素分解液に糖類とともにクリームを混合した後、真空濃縮機によりメイラード反応を起こさない低温で濃縮および殺菌する。【選択図】なし【特許請求の範囲】
【請求項１】
乳清を濃縮し、糖類を混合することを特徴とする乳清食品の製造方法。
【請求項２】
乳清を限外濾過膜で濾過し、膜非透過の濃縮液に乳糖分解酵素を加えて乳糖を分解し、その酵素分解液に糖類を混合することを特徴とする乳清食品の製造方法。
【請求項３】
乳を乳酸発酵させた後、発酵により凝固したカードと乳清とに分離し、分離した乳清を限外濾過膜で濾過し、膜非透過の濃縮液に乳糖分解酵素を加えて乳糖を分解し、その酵素分解液に糖類を混合することを特徴とする乳清食品の製造方法。
【請求項４】
前記酵素分解液に前記糖類とともにクリームを混合した後、濃縮および殺菌することを特徴とする請求項２または３記載の乳清食品の製造方法。
【請求項５】
前記濃縮および前記殺菌を真空濃縮機によりメイラード反応を起こさない低温で行うことを特徴とする請求項４記載の乳清食品の製造方法。
【請求項６】
請求項１，２，３，４または５記載の乳清食品の製造方法により製造されたことを特徴とする乳清食品。
【発明の詳細な説明】
【技術分野】
【０００１】
本発明は、乳清を用いた乳清食品およびその製造方法に関する。
【背景技術】
【０００２】
乳清は、牛乳からカゼインを除いて得られ、β−ラクトグロブリン、α−ラクトアルブミン、血清アルブミンなどのタンパク質を含み、栄養価に富んでいる。
従来、改良した乳清の製造方法として、乳清をナノフィルトレーションにより脱塩処理した後、乳糖分解酵素で乳糖分解処理する乳糖分解脱塩乳清の製造方法がある（例えば、特許文献１参照）。
【０００３】
【特許文献１】特開２００４−１２９５７９号公報
【発明の開示】
【発明が解決しようとする課題】
【０００４】
しかしながら、特許文献１に示す従来の技術では、製造される乳清は、食品の物性を改良するために食品の原料に用いられるだけで、そのまま食されるものではなく、用途が限定されていた。また、クリームチーズなどナチュラルチーズの製造の際に発生する乳清は、飼料等に利用される以外は産業廃棄物として廃棄されていた。このように、従来、貴重なタンパク資源である乳清の有効利用が図られないという課題があった。
【０００５】
本発明は、このような課題に着目してなされたもので、乳清の用途を広げ、その有効利用を図ることができる乳清食品およびその製造方法を提供することを目的としている。
【課題を解決するための手段】
【０００６】
上記目的を達成するために、本発明に係る乳清食品の製造方法は、乳清を濃縮し、糖類を混合することを特徴とする。
より好ましくは、本発明に係る乳清食品の製造方法は、乳清を限外濾過膜で濾過し、膜非透過の濃縮液に乳糖分解酵素を加えて乳糖を分解し、その酵素分解液に糖類を混合することを特徴とする。
さらに好ましくは、本発明に係る乳清食品の製造方法は、乳を乳酸発酵させた後、発酵により凝固したカードと乳清とに分離し、分離した乳清を限外濾過膜で濾過し、膜非透過の濃縮液に乳糖分解酵素を加えて乳糖を分解し、その酵素分解液に糖類を混合することを特徴とする。
本発明に係る乳清食品の製造方法では、前記酵素分解液に前記糖類とともにクリームを混合した後、濃縮および殺菌することが好ましい。この場合、前記濃縮および前記殺菌を真空濃縮機によりメイラード反応を起こさない低温で行うことが好ましい。
本発明に係る乳清食品は、前述の乳清食品の製造方法により製造されたことを特徴とする。
【０００７】
乳の乳酸発酵は、生乳と生クリームを混合した調整乳を用い、殺菌、冷却した後、２３℃前後で約１６時間発酵させることが好ましい。発酵により凝固したならば、攪拌しながら加熱し、カードセパレーターもしくは濾過布等によりカードと乳清とに分離する。
【０００８】
乳清の濃縮は、限外濾過膜による濾過または真空濃縮機により行うことが好ましく、特に、限外濾過膜により濾過した膜非透過の濃縮液に乳糖分解酵素を加えて乳糖を分解した後、真空濃縮機によりさらに濃縮を行うことが好ましい。限外濾過膜による濃縮では、３倍程度に濃縮することが好ましい。乳糖分解酵素（ラクターゼ）を加えて乳糖を分解することにより、製品の舌触りを改良することができる。乳糖分解酵素の添加量は、膜非透過の濃縮液に対し０．００５乃至０．０１重量％が好ましい。乳糖の分解は、膜非透過の濃縮液を５０℃前後を保持しながら２０時間攪拌を続けて行うことが好ましい。乳糖の分解後は、直ちに５℃以下まで冷却することが好ましい。
【０００９】
真空濃縮機による濃縮では、酵素分解液に糖類とともにクリームを混合することにより、風味を調整することができる。真空濃縮機による濃縮は、メイラード反応を起こさない低温、特に５０℃前後の温度で行うことが好ましい。真空濃縮機による濃縮では、３〜３．５倍程度に濃縮することが好ましい。殺菌は、濃縮後、７５℃前後の温度で加熱して行うことが好ましい。
【００１０】
濃縮および殺菌後、例えば、ホッパーにより瓶詰めまたはパック詰めにして出荷することができる。
製品は、ジャム状であってパンなどに塗って食べたり、コンデンスミルクの代わりとしてイチゴなどに掛けたりして食べるのに適している。
【発明の効果】
【００１１】
本発明によれば、乳清の用途を広げ、その有効利用を図ることができる乳清食品およびその製造方法を提供することができる。
【実施例】
【００１２】
以下、本発明の実施例について説明する。
生乳９０重量％とクリーム１０重量％とを混合した調整乳の均質化を行い、７１℃１５秒殺菌を行った後、２３℃まで冷却した。これに市販の乳酸菌を０．６重量％添加し、２３℃で１６時間発酵させた。発酵により凝固したものを攪拌しながら加熱し、カードセパレータによりカードと乳清とに分離した。
【００１３】
乳清を限外濾過膜で３倍に濃縮した。その濃縮液に対し０．００５重量％の乳糖分解酵素を添加し、５０℃前後を保持しながら２０時間攪拌を続け、乳糖を分解した。乳糖の分解後、直ちに５℃以下まで冷却した。
【００１４】
乳糖を分解した濃縮液８２重量％、砂糖１５重量％、クリーム３重量％を混合して風味を調整した。次に、真空濃縮機により５０℃で低温濃縮を行い、３．２５倍に濃縮した。濃縮終了後、７５℃で加熱、殺菌した。こうして、ジャム状の乳清食品を製造した。乳清食品は、ホッパーにより、一般販売用のものは１５０ｇ容量のガラス瓶に瓶詰めし、業務用のものは２０ｋｇ容量のポリ容器に充填した。
【００１５】
製造した乳清食品は、淡い酸味を有し、ジャム状の粘着性を有し、パンに塗って食べたり、イチゴに掛けて食べたりするのに適していた。
(57)【要約】【目的】  電動発電機において、固定子構造を必要最小限に構成し、軸方向の多極化を図り、発電機の直径を、最も小さく設定することにより、コギングの少ない、低回転から高回転（数百回転〜数千回転）までの発電機を実現する。特に、風車のように、発電機の直径が効率に、大きく影響するような発電機に適している。軸方向への多極化により、コギングの少ない、低回転から高回転（数百回転〜数千回転）の、ダイレクトドライブ型の風車用発電機も可能となる。ギア比も小さく設定可能となり、増速機ギアボックスも含めての小型化が、容易となる。【構成】  固定子構造を必要最小限に構成し、軸方向の多極化を図り、発電機の直径を、最も小さく設定する。回転軸の円周上に配置した磁束経路は、仕様に合わせて、個別に調整出来るので、高密度の磁束が実現でき、風車に必要な低い回転数から高い回転数まで対応できる発電機の構成が可能となる【選択図】図２
2006320184.tif 000002
【特許請求の範囲】
【請求項１】
回転軸を有する軸に固定された回転子と、回転子の間に形成されたギャップを有する固定子を１組として、磁束回路の１部、すなわち複数の極を構成している電気機械。
【請求項２】
請求項１記載の電気機械であって、その磁束回路の１部、すなわち極を、回転軸方向に、ある角度をなして、１以上の複数個を、配列する電気機械。
【請求項３】
請求項１、２記載の電気機械であって、磁界発生装置は電流巻き線すなわちコイルは、固定子内に配列されている電気機械。
【請求項４】
請求項１、２記載の電気機械であって、マグネット、または、磁界発生装置は、回転子の外周側に配列されている電気機械。
【請求項５】
請求項１、２記載の電気機械であって、回転軸に対して、円周上に、任意の角度にそのコイルを配列した電気機械。
【請求項６】
請求項５記載の電気機械であって、前記角度は、０度以上で、９０度以下である電気機械。
【発明の詳細な説明】
【技術分野】
【０００１】  本発明は、電気機械に関して、特に電動発電機に関する。
電動発電機は、電動機または、発電機として動作出来るので以下、ここでは、単に発電機と称する。
【背景技術】
【０００２】  発電機は、さまざまな分野で利用され、特に風車で使用される場合には、ケース直径のサイズは、翼が、風を受ける面積に直接に影響を及ぼす為、結果的に風車の効率を下げてしまう結果になる。
従って、風車の効率改善の為には、発電機の直径方向のケース外径寸法は、極力小さく押さえる必要が有る。
【発明の開示】
【発明が解決しようとする課題】
【０００３】  それを達成するためには、出来るだけ直径方向が小さい発電機が必要となる。風車の直径に対して、発電機が占めるスペースを少なくする為である。従来の磁束発生器に基づいた発電機は、図１に示すように、固定子構造が、回転子を取り囲み、発電機の直径が大きくなっている。本１図では、スロットに３層のコイルを挿入している１例である。
【課題を解決するための手段】
【０００４】  本発明では、固定子構造を必要最小限に構成し、軸方向の多極化を図り、発電機の直径を、最も小さくする方法を実現する。
【発明の効果】
【０００５】  この構成により、発電機の直径を最小に押さえる事が可能となり、風車の直径が小さく構成できる。磁束経路は、仕様に合わせて、個別に設定出来るので、高密度の磁束が実現でき、風車に必要な低い回転数から高い回転数まで対応できる発電機が構成可能となる。
従って、ギア比が小さく設定可能となり、増速機ギアボックスも小型化が、容易となる。
【発明を実施するための最良の形態】
【０００６】  軸方向の多極化は任意に構成でき、固定子コイルは、周囲に０〜９０度の値で設定が可能である。また、マグネット、コイルにより磁界の強度コントロールが可能である。
【実施例】
【０００７】  図２にその１実施例を示す。
７ケース外径を小さく抑える為、固定子側の構成は、極力、薄く構成する。この例は、固定子側の構成として、単層コイルを使用している。２回転軸には、１マグネットを固定し、回転子を構成する。勿論、マグネットは、永久磁石でなくても良く、磁界発生手段としては、コイルを巻き付けた電磁石タイプでも良い。その場合、５整流子が必要となる。回転子外周と、一定のギャップを保つように、ケース内側には、４固定子コイルを、円周方向に配置する。固定子コイルは、この例では、円周方向に、４５度ステップで順次、等間隔に配置してある。必要な仕様に合わせて配置角度（０〜９０度）を分割することが、可能である。
【産業上の利用可能性】
【０００８】  風車は、翼の直径の大きさにより、風の受ける面積が変わり、最終的には、発電出力に大きく影響してくる。発電機の直径面積を小さくして、翼以外の面積を最少に構成すると、結果的には、風車の効率を大幅に、改善することが、可能となる。許される限り、軸方向に長く延長すれば、コギングの少ない、低回転から高回転（数百回転〜数千回転）までの、ダイレクトドライブ型の風車用発電機も可能となる。
【図面の簡単な説明】
【０００９】
【図１】は、一般的に用いられている従来の多層コイル構造の発電機の断面構造である。この例では、固定子部分が、３層となっている分最大外径寸法が大きくなる。
【図２】は、軸方向の多極化構造の発電機の１実施例の構造である。固定子部分の構成を極力、薄くし、回転軸方向に延長して、極数を増やしている例である。
【符号の説明】
【００１０】  １マグネット
２回転軸
３スロット
４固定子コイル
５整流子
６軸受け
７ケース
【図１】
2006320184.tif 000003
【図２】
2006320184.tif 000004